【手続補正書】
【提出日】平成17年12月2日(2005.12.2)
【手続補正１】
【補正対象書類名】明細書
【補正対象項目名】全文
【補正方法】変更
【補正の内容】
【書類名】          明細書
【発明の名称】      色と音階と感情素とを置換させる方法
【特許請求の範囲】
【請求項１】
人の視覚系における色相と聴覚系における音律，さらに人の感情系における感情律との３つの循環移行する体系をそれぞれに投影させ，それぞれの体系を構成する色，音階，感情素とを互いに置換させる方法。
【請求項２】
視覚系出力装置によって出力された色を聴覚系入力装置によって入力できる音階に置換させ，またその逆に，聴覚系出力装置によって出力された音階を視覚系入力装置によって入力できる色に置換させる方法。
【発明の詳細な説明】
【０００１】
【発明の属する技術分野】
本発明は，色相と音律と感情律との３つの体系を互いに投影させ，それぞれの体系を構成する要素，すなわち色，音階，感情素をそれぞれに置換させる方法に関する。
【０００２】
【従来の技術】
従来，人の生体能力のうちの１個の知覚系によって知覚されるものは，視覚系であるならば目に見えるものに限定されたものであり，聴覚系であるならば耳に聞こえるものに限定されていた。そのことは，目に見える色が聴覚系においてどのようなものであるのかは分からず，また聴覚系によって聞こえる音階が，視覚系においてどのようなものであるのかは分からなかった。また，それぞれを置換させてくれる有効な方法もなかった。また，知覚系と感情系とが連動していることは末梢説によって明らかにされているのにも関わらず，色相や音律という知覚系を構成する体系が，どのように感情系に投影されているのか分からなかった。またその投影方法もなかった。
【０００３】
【発明の実施の形態】
本発明の第１請求項は，色が持つ色相という体系と音がもつ音律という体系，感情系における感情律という体系の３つの体系をそれぞれに投影させることによって，３つの体系のそれぞれを構成する，色，音階，感情素を置換させる方法を示している。
【０００４】
上記第１請求項の発明において，色相を構成する１個の色は，音律を構成する１個の音階に置換できる。またその逆に，音律を構成する１個の音階は，色相を構成する１個の色に置換できる。
【０００５】
そのことから，視覚系出力装置から出力された色を聴覚系入力装置に入力できる音階に置換し，またその逆に，聴覚系出力装置より出力される音階を視覚系入力装置に入力できる色に置換するならば，独立して第２請求項にあたる発明となる。
【０００６】
以下，第１請求項の発明，色と音階と感情とを置換させる方法の実施形態を，図１，図２，図３にしたがって説明する。なお，第２請求項の発明は，第１請求項における色と音階とを置換させる部分の実施形態と同じである。
【０００７】
図１は，色相と音律と感情律とを投影させ，それぞれの構成要素すなわち色と音階と感情素とをそれぞれに置換する方法，第１請求項の構成図である。
【０００８】
第１請求項の発明は，３個の体系すなわち，色相１，音律２，感情律３によって構成される。本発明における色相とは，図２に示しているところの色覚における三段階の生成プロセス，三原色化（赤，緑，青）４，反対応答化（シアン，マゼンタ，黄色）５，範疇化（４および５によって生成される都合６色の間を埋める色）６によって成立する，循環移行する色の体系とする。
【０００９】
また音律は，基音を鳴らすときに同時に鳴る基音の倍音（ハーモニクス）によって構成されるが，本発明における音律２は，基音と１オクターブ上の基音との間に存在する１２個の倍音を，おおよそ均等に振り分けたものとする。
【００１０】
このとき，ハ長調における長三和音が，色相１の三原色に対応する。
【００１１】
色相１と音律２との投影は，色相１の「赤」を音律２の「シからドの音程（音階ド）」に投影されるものとし，また色相１における「緑」を音律２における「レ＃からミの音程（音階ミ）」，さらに色相１における「青」を音律２における「ソからソ＃の音程（おおよそ音階ソ）」に対応させる。
【００１２】
色相１と音律２との投影は，曲の音調，すなわち使用される基音と長音階（音律に対する倍音の並びが全音，全音，半音，全音，全音，全音，半音であるもの＝長調），短音階（短調，音律に対する倍音の並びが全音，半音，全音，全音，半音，全音，全音であるもの＝短調）の違いによって適宜に対応する。
【００１３】
たとえば基音が「ド」である長音階（＝ハ長調）の７つのハーモニクス（「ド」，「レ」，「ミ」，「ファ」，「ソ」，「ラ」，「シ」）に対応する色々は，「赤（基音に対応する基本色）」，「黄」，「緑」，「緑とシアンとの間の色」，「シアンと青との間の色」，「青とマゼンタとの間の色」，「マゼンタと赤との間の色」となる。また，たとえば基音がソである短音階であるならば（＝ト短調），その「７つのハーモニクス」に対応する色々は，「青（基音に対応する基本色）」，「マゼンタ」，「マゼンタと赤との間の色」，「赤と黄との間の色（橙）」，「黄と緑との間の色（黄緑）」，「緑」，「シアン」となる。
【００１４】
上記までの色相１と音律２との投影方法は，感情系における感情律３に対して以下のように投影される。
【００１５】
感情は身体的反応後に生じるもの（末梢説もしくはジェームズ・ランゲ説）であることから，視覚系や聴覚系などの知覚系が感情系に投影されているものと考えられる。そのことから本発明においては，視覚系システムにおける色相の生成プロセス（第１段階＝三原色化，第２段階＝反対応答化，第３段階＝範疇化）に準じて感情律３を以下のように定めた。
【００１６】
本発明における感情律とは，三段階ある色相の生成プロセス，すなわち三原色化４，反対応答化５，範疇化６に倣い，図３に示すように，感情の三元素（激情，快，不快）７，感情の反対応答化（平静，怒り，喜び）８，感情の範疇化（７および８によって生成される都合６個の感情素の間を埋める感情素）９によって成り立つ循環移行性（循環移行性とは，図４に示してあるように隣り合う要素が徐々に変化してゆく性質をもった閉じた体系のこと）を持った感情素の体系とする。
【００１７】
感情律３を構成する感情の三元素（激情，快，不快）７は，色相における三原色（赤，緑，青）４，また音律においてはハ長調における長三和音（ド，ミ，ソ）のそれぞれに投影でき，それぞれの構成要素である色，音階，感情律に置換できる。
【００１８】
感情律３と音律２との投影は，曲の音調，すなわち使用される基音と長音階，短音階の違いによって適宜に対応する。
【００１９】
たとえば基音が「ド」である長音階（＝ハ長調）の７つのハーモニクス（「ド」，「レ」，「ミ」，「ファ」，「ソ」，「ラ」，「シ」）に対応する感情律群は，「激情（基音に対応する感情素）」，「喜び」，「快」，「快と平静との間の感情素＝範疇化感情素」，「平静と不快との間の感情素＝範疇化感情素」，「不快と怒りとの間の感情素＝範疇化感情素」，「怒りと激情との間の感情素＝範疇化感情素」となる。また，たとえば基音がソである短音階（＝ト短調）であるならばその，感情律におけるその「７つのハーモニクス」に対応する感情素群は，「不快（基音に値する感情素）」，「怒り」，「怒りと激情との間の感情素＝範疇化感情素」，「激情と喜びとの間の感情素＝範疇化感情素」，「喜びと快との間の感情素＝範疇化感情素」，「快」，「平静」となる。また感情律３の色相１への投影は，上記の方法と［００１２］および［００１３］に準じて行い，感情律を構成するそれぞれの感情素は，色相を構成するそれぞれの色へと置換できる。
【００２０】
上記が第１請求項の発明実施例であるが，上記の内容に示された色相１と音律２との投影と，それぞれを構成する色と音階との置換の方法が，視覚系出力装置によって出力された色を聴覚系入力装置によって入力できる音階に置換させ，またその逆に，聴覚系出力装置によって出力された音階を視覚系入力装置によって入力できる色に置換させる方法に代替した場合，第２請求項にあたる発明とする。
【００２１】
【発明の効果】
以上のように，本発明は，人の生体能力のうちの１個の知覚系を他の知覚系に置換させ，かつ，知覚系を構成する色相，音律といった体系と感情系における感情律との投影を可能にして，従来にはなかった美術デザインや音楽，また文芸といった創作活動全般において新たなる可能性を発揮させることが期待できるばかりでなく，知覚系障害を持つ人々にとっては，従来になかった有効なコミュニケーション開発の支援になるものと期待できる。
【００２２】
第２請求項の発明は，視覚系と聴覚系との置換を容易におこなえることによって従来にはなかったより直感的なユーザー・インターフェースの開発が期待でき，よってその利用範囲をさらに広げることがのぞめる。
【図面の簡単な説明】
【図１】色相と音律と感情律とを投影させた図である。
【図２】視覚系システムのプロセス（色相の生成プロセス）を示した図である。
【図３】感情律の生成プロセスを示した図である。
【図４】色相，音律，感情律がそれぞれに持つ循環移行性を示した図である。
【手続補正２】
【補正対象書類名】図面
【補正対象項目名】全図
【補正方法】変更
【補正の内容】
【書類名】図面
【図１】
2004213383.tif 000001
【図２】
2004213383.tif 000002
【図３】
2004213383.tif 000003
【図４】
2004213383.tif 000004